(57)【要約】【課題】簡易な構成で、建築物の躯体内における湿度を含む躯体内環境を良好にし得る躯体内環境管理システムを提供する。【解決手段】躯体内環境管理システム１は、制御装置６の制御により、第１の換気部５１および第２の換気部５２、５３の各連通口をそれぞれ開閉させ、躯体内の環境を管理するよう構成されている。すなわち、制御装置６は、温度センサ８４により得られた住宅の外部の気温に基づいて、季節を判別し、その判別された季節と、湿度センサ８２により得られた住宅の外気の湿度と、湿度センサ８３により得られた躯体内の湿度と、結露センサ８１により得られた躯体内の結露の有無とに基づき、第１の換気部５１および第２の換気部５２、５３の作動をそれぞれ制御する。【選択図】図２
2008180030.tif 000002
【特許請求の範囲】
【請求項１】
建築物の躯体内の環境を管理する躯体内環境管理システムであって、
前記建築物の外部と前記躯体内とを連通する少なくとも１つの連通口を有し、該連通口を開閉し、前記躯体内を換気する換気状態と前記躯体内を換気しない非換気状態とに切り換わる換気手段と、
季節を判別する季節判別手段と、
前記建築物の外気の湿度の情報を取得する外気湿度取得手段と、
前記躯体内の湿度の情報を取得する躯体内湿度取得手段と、
前記季節判別手段により判別された季節と、前記外気湿度取得手段により得られた前記建築物の外気の湿度と、前記躯体内湿度取得手段により得られた前記躯体内の湿度とに基づいて、前記換気手段の作動を制御する換気制御手段とを備えることを特徴とする躯体内環境管理システム。
【請求項２】
前記外気湿度取得手段は、通信回線を介して、気象情報から前記建築物の外気の湿度の情報を取得するよう構成されている請求項１に記載の躯体内環境管理システム。
【請求項３】
前記建築物の外部の気温の情報を取得する外気温取得手段を有し、
前記季節判別手段は、前記外気温取得手段により得られた前記建築物の外部の気温に基づいて季節を判別するよう構成されている請求項１または２に記載の躯体内環境管理システム。
【請求項４】
前記季節判別手段は、前記建築物の外部の複数日の平均気温に基づいて季節を判別するよう構成されている請求項３に記載の躯体内環境管理システム。
【請求項５】
前記外気温取得手段は、通信回線を介して、気象情報から前記建築物の外部の気温の情報を取得するよう構成されている請求項３または４に記載の躯体内環境管理システム。
【請求項６】
月日の情報を取得するカレンダー手段を有し、
前記季節判別手段は、前記カレンダー手段により得られた月日に基づいて季節を判別するよう構成されている請求項１または２に記載の躯体内環境管理システム。
【請求項７】
前記季節判別手段は、少なくとも夏と冬とを判別するよう構成されており、
前記季節判別手段により夏と判別された場合は、前記換気手段の作動モードを夏モードに設定し、前記季節判別手段により冬と判別された場合は、前記換気手段の作動モードを冬モードに設定するモード設定手段を有する請求項１ないし６のいずれかに記載の躯体内環境管理システム。
【請求項８】
前記換気手段は、前記建築物の外部と前記躯体内とを連通する第１の連通口を有し、該第１の連通口を開閉して前記躯体内を換気する第１の換気部と、
前記第１の換気部より下方の位置に設けられ、前記建築物の外部と前記躯体内とを連通する第２の連通口を有し、該第２の連通口を開閉して前記躯体内を換気する第２の換気部とを備える請求項７に記載の躯体内環境管理システム。
【請求項９】
前記躯体の内部には、小屋空間および床下空間が形成されており、
前記第１の連通口は、前記建築物の外部と前記小屋空間とを連通し、前記第２の連通口は、前記建築物の外部と前記床下空間とを連通する請求項８に記載の躯体内環境管理システム。
【請求項１０】
前記夏モードにおける前記換気状態は、前記第１の連通口および前記第２の連通口を開いた状態、前記非換気状態は、前記第１の連通口および前記第２の連通口を閉じた状態であり、
前記冬モードにおける前記換気状態は、前記第１の連通口と前記第２の連通口とのうちの一方を開き、他方を閉じた状態、前記非換気状態は、前記第１の連通口および前記第２の連通口を閉じた状態である請求項８または９に記載の躯体内環境管理システム。
【請求項１１】
前記建築物の外気の湿度をφ１、前記躯体内の湿度をφ２としたとき、
前記換気制御手段は、前記夏モードにおいては、φ２＜ａ・φ１（但し、ａ≧１．０５）の場合は、前記換気手段を前記非換気状態にし、
φ２≧ａ・φ１（但し、ａ≧１．０５）の場合は、前記換気手段を前記換気状態にするよう構成されている請求項７ないし１０のいずれかに記載の躯体内環境管理システム。
【請求項１２】
前記建築物の外気の湿度をφ１、前記躯体内の湿度をφ２としたとき、
前記換気制御手段は、前記冬モードにおいては、ｂ・φ２＜φ１（但し、ｂ≧１．０５）の場合は、前記換気手段を前記非換気状態にし、
ｂ・φ２≧φ１（但し、ｂ≧１．０５）の場合は、前記換気手段を前記換気状態にするよう構成されている請求項７ないし１１のいずれかに記載の躯体内環境管理システム。
【請求項１３】
前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記夏モードにおいては、φ２＜ａ・φ１（但し、ａ≧１．０５）、Ｔ２＞ｃ・Ｔ１（但し、ｃは係数）の場合は、前記換気手段を前記換気状態にし、
φ２＜ａ・φ１（但し、ａ≧１．０５）、Ｔ２≦ｃ・Ｔ１（但し、ｃ≧１．０５）の場合は、前記換気手段を前記非換気状態にし、
φ２≧ａ・φ１（但し、ａ≧１．０５）、ｄ・Ｔ２＞Ｔ１（但し、ｄ≧１．０５）の場合は、前記換気手段を前記換気状態にし、
φ２≧ａ・φ１（但し、ａ≧１．０５）、ｄ・Ｔ２≦Ｔ１（但し、ｄ≧１．０５）の場合は、前記換気手段を前記非換気状態にするよう構成されている請求項７ないし１０のいずれかに記載の躯体内環境管理システム。
【請求項１４】
前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記冬モードにおいては、ｂ・φ２＞φ１（但し、ｂ≧１．０５）、Ｔ２＞ｅ・Ｔ１（但し、ｅ≧１．０５）の場合は、前記換気手段を前記非換気状態にし、
ｂ・φ２＞φ１（但し、ｂ≧１．０５）、Ｔ２≦ｅ・Ｔ１（但し、ｅ≧１．０５）の場合は、前記換気手段を前記換気状態にし、
ｂ・φ２≦φ１（但し、ｂ≧１．０５）、ｆ・Ｔ２＞Ｔ１（但し、ｆ≧１．０５）の場合は、前記換気手段を前記非換気状態にし、
ｂ・φ２≦φ１（但し、ｂ≧１．０５）、ｆ・Ｔ２≦Ｔ１（但し、ｆ≧１．０５）の場合は、前記換気手段を前記換気状態にするよう構成されている請求項７ないし１０、１３のいずれかに記載の躯体内環境管理システム。
【請求項１５】
前記外気温取得手段は、通信回線を介して、気象情報から前記建築物の外部の気温の情報を取得するよう構成されている請求項１３または１４に記載の躯体内環境管理システム。
【請求項１６】
前記躯体内の結露を検出する結露検出手段を有し、
前記換気制御手段は、前記結露検出手段により前記躯体内の結露が検知された場合は、他の条件にかかわらず、前記換気手段を前記換気状態にするよう構成されている請求項１ないし１５のいずれかに記載の躯体内環境管理システム。
【発明の詳細な説明】
【技術分野】
【０００１】
本発明は、躯体内環境管理システムに関するものである。
【背景技術】
【０００２】
従来、建築物として、例えば、屋根の下方に形成される躯体内空間である小屋空間と、床の下方に形成される躯体内空間である床下空間とが、内壁空間（内壁空洞）を介して連通している住宅において、所定箇所にファン等の送気装置を設置し、その送気装置により、小屋空間、内壁空間および床下空間に空気を循環させるエアサイクル住宅が知られている（例えば、特許文献１参照）。また、前記送気装置を用いないエアサイクル住宅も存在する。
【０００３】
このようなエアサイクル住宅には、住宅の外部と躯体内とを連通する連通口を有し、この連通口を手動で開閉して躯体内を換気し得る換気部が設けられている。そして、夏は、換気部の連通口を開いて、換気を行い、一方、冬は、換気部の連通口を閉じて、冷たい外気が躯体内に流入しないようにしている。
【０００４】
しかしながら、前記エアサイクル住宅では、単に、その住人が、季節に応じて、換気部の連通口を開閉するだけの管理、すなわち、夏は、換気部の連通口を開き、冬は、換気部の連通口を閉じるだけの管理しか行っていない。このため、湿気対策が不十分であり、湿気による害が生じることがあった。
【０００５】
【特許文献１】特開平１０−１３２３０１号公報
【発明の開示】
【発明が解決しようとする課題】
【０００６】
本発明の目的は、簡易な構成で、建築物の躯体内における湿度を含む躯体内環境を良好にし得る躯体内環境管理システムを提供することにある。
【課題を解決するための手段】
【０００７】
このような目的は、下記（１）〜（１６）の本発明により達成される。
（１）  建築物の躯体内の環境を管理する躯体内環境管理システムであって、
前記建築物の外部と前記躯体内とを連通する少なくとも１つの連通口を有し、該連通口を開閉し、前記躯体内を換気する換気状態と前記躯体内を換気しない非換気状態とに切り換わる換気手段と、
季節を判別する季節判別手段と、
前記建築物の外気の湿度の情報を取得する外気湿度取得手段と、
前記躯体内の湿度の情報を取得する躯体内湿度取得手段と、
前記季節判別手段により判別された季節と、前記外気湿度取得手段により得られた前記建築物の外気の湿度と、前記躯体内湿度取得手段により得られた前記躯体内の湿度とに基づいて、前記換気手段の作動を制御する換気制御手段とを備えることを特徴とする躯体内環境管理システム。
【０００８】
（２）  前記外気湿度取得手段は、通信回線を介して、気象情報から前記建築物の外気の湿度の情報を取得するよう構成されている上記（１）に記載の躯体内環境管理システム。
【０００９】
（３）  前記建築物の外部の気温の情報を取得する外気温取得手段を有し、
前記季節判別手段は、前記外気温取得手段により得られた前記建築物の外部の気温に基づいて季節を判別するよう構成されている上記（１）または（２）に記載の躯体内環境管理システム。
【００１０】
（４）  前記季節判別手段は、前記建築物の外部の複数日の平均気温に基づいて季節を判別するよう構成されている上記（３）に記載の躯体内環境管理システム。
【００１１】
（５）  前記外気温取得手段は、通信回線を介して、気象情報から前記建築物の外部の気温の情報を取得するよう構成されている上記（３）または（４）に記載の躯体内環境管理システム。
【００１２】
（６）  月日の情報を取得するカレンダー手段を有し、
前記季節判別手段は、前記カレンダー手段により得られた月日に基づいて季節を判別するよう構成されている上記（１）または（２）に記載の躯体内環境管理システム。
【００１３】
（７）  前記季節判別手段は、少なくとも夏と冬とを判別するよう構成されており、
前記季節判別手段により夏と判別された場合は、前記換気手段の作動モードを夏モードに設定し、前記季節判別手段により冬と判別された場合は、前記換気手段の作動モードを冬モードに設定するモード設定手段を有する上記（１）ないし（６）のいずれかに記載の躯体内環境管理システム。
【００１４】
（８）  前記換気手段は、前記建築物の外部と前記躯体内とを連通する第１の連通口を有し、該第１の連通口を開閉して前記躯体内を換気する第１の換気部と、
前記第１の換気部より下方の位置に設けられ、前記建築物の外部と前記躯体内とを連通する第２の連通口を有し、該第２の連通口を開閉して前記躯体内を換気する第２の換気部とを備える上記（７）に記載の躯体内環境管理システム。
【００１５】
（９）  前記躯体の内部には、小屋空間および床下空間が形成されており、
前記第１の連通口は、前記建築物の外部と前記小屋空間とを連通し、前記第２の連通口は、前記建築物の外部と前記床下空間とを連通する上記（８）に記載の躯体内環境管理システム。
【００１６】
（１０）  前記夏モードにおける前記換気状態は、前記第１の連通口および前記第２の連通口を開いた状態、前記非換気状態は、前記第１の連通口および前記第２の連通口を閉じた状態であり、
前記冬モードにおける前記換気状態は、前記第１の連通口と前記第２の連通口とのうちの一方を開き、他方を閉じた状態、前記非換気状態は、前記第１の連通口および前記第２の連通口を閉じた状態である上記（８）または（９）に記載の躯体内環境管理システム。
【００１７】
（１１）  前記建築物の外気の湿度をφ１、前記躯体内の湿度をφ２としたとき、
前記換気制御手段は、前記夏モードにおいては、φ２＜ａ・φ１（但し、ａ≧１．０５）の場合は、前記換気手段を前記非換気状態にし、
φ２≧ａ・φ１（但し、ａ≧１．０５）の場合は、前記換気手段を前記換気状態にするよう構成されている上記（７）ないし（１０）のいずれかに記載の躯体内環境管理システム。
【００１８】
（１２）  前記建築物の外気の湿度をφ１、前記躯体内の湿度をφ２としたとき、
前記換気制御手段は、前記冬モードにおいては、ｂ・φ２＜φ１（但し、ｂ≧１．０５）の場合は、前記換気手段を前記非換気状態にし、
ｂ・φ２≧φ１（但し、ｂ≧１．０５）の場合は、前記換気手段を前記換気状態にするよう構成されている上記（７）ないし（１１）のいずれかに記載の躯体内環境管理システム。
【００１９】
（１３）  前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記夏モードにおいては、φ２＜ａ・φ１（但し、ａ≧１．０５）、Ｔ２＞ｃ・Ｔ１（但し、ｃは係数）の場合は、前記換気手段を前記換気状態にし、
φ２＜ａ・φ１（但し、ａ≧１．０５）、Ｔ２≦ｃ・Ｔ１（但し、ｃ≧１．０５）の場合は、前記換気手段を前記非換気状態にし、
φ２≧ａ・φ１（但し、ａ≧１．０５）、ｄ・Ｔ２＞Ｔ１（但し、ｄ≧１．０５）の場合は、前記換気手段を前記換気状態にし、
φ２≧ａ・φ１（但し、ａ≧１．０５）、ｄ・Ｔ２≦Ｔ１（但し、ｄ≧１．０５）の場合は、前記換気手段を前記非換気状態にするよう構成されている上記（７）ないし（１０）のいずれかに記載の躯体内環境管理システム。
【００２０】
（１４）  前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記冬モードにおいては、ｂ・φ２＞φ１（但し、ｂ≧１．０５）、Ｔ２＞ｅ・Ｔ１（但し、ｅ≧１．０５）の場合は、前記換気手段を前記非換気状態にし、
ｂ・φ２＞φ１（但し、ｂ≧１．０５）、Ｔ２≦ｅ・Ｔ１（但し、ｅ≧１．０５）の場合は、前記換気手段を前記換気状態にし、
ｂ・φ２≦φ１（但し、ｂ≧１．０５）、ｆ・Ｔ２＞Ｔ１（但し、ｆ≧１．０５）の場合は、前記換気手段を前記非換気状態にし、
ｂ・φ２≦φ１（但し、ｂ≧１．０５）、ｆ・Ｔ２≦Ｔ１（但し、ｆ≧１．０５）の場合は、前記換気手段を前記換気状態にするよう構成されている上記（７）ないし（１０）、（１３）のいずれかに記載の躯体内環境管理システム。
【００２１】
（１５）  前記外気温取得手段は、通信回線を介して、気象情報から前記建築物の外部の気温の情報を取得するよう構成されている上記（１３）または（１４）に記載の躯体内環境管理システム。
【００２２】
（１６）  前記躯体内の結露を検出する結露検出手段を有し、
前記換気制御手段は、前記結露検出手段により前記躯体内の結露が検知された場合は、他の条件にかかわらず、前記換気手段を前記換気状態にするよう構成されている上記（１）ないし（１５）のいずれかに記載の躯体内環境管理システム。
【発明の効果】
【００２３】
本発明によれば、季節と、建築物の外気の湿度と、建築物の躯体内（躯体内空間）の湿度とに基づいて、換気手段の作動（駆動）が制御され、換気状態と非換気状態とに切り換わるよう構成されているので、季節（建築物の外部の気温が高いか低いか等）に応じて、躯体内における湿度を含む躯体内環境の管理を容易かつ確実に行うことができ、これにより、特に、湿気による害を防止することができる。すなわち、躯体内における湿度を含む躯体内環境を良好にすることができ、これにより、建築物を快適に利用することができ、また、建築物の耐久性を向上させることができる。
【００２４】
また、構成も簡易である。
【００２５】
また、季節判別手段により、少なくとも夏と冬とを判別し、その結果に基づいて、換気手段の作動モードを夏モードまたは冬モードに設定するよう構成されている場合は、夏および冬（建築物の外部の気温が高い場合および低い場合等）に応じて、それぞれ、最適な管理を行うことができる。
【発明を実施するための最良の形態】
【００２６】
以下、本発明の躯体内環境管理システムを添付図面に示す好適実施形態に基づいて詳細に説明する。
【００２７】
＜第１実施形態＞
図１は、本発明の躯体内環境管理システムの第１実施形態が適用された建築物としての住宅の概略構造を示す断面図、図２は、図１に示す躯体内環境管理システムのブロック図、図３は、図１に示す躯体内環境管理システムの制御装置の制御動作を示すフローチャート、図４は、モード設定処理（サブルーチン）を示すフローチャートである。
【００２８】
なお、説明の都合上、図１において、上側を「上」、下側を「下」、左側を「左」、右側を「右」として説明する。
【００２９】
図１に示すように、住宅（建築物）１０は、２階建てであり、室３１、３２および３３、図示しない玄関、図示しない廊下等を画成する躯体２０を有している。なお、室３１〜３３は、それぞれ、居間や寝室に限らず、この他、例えば、キッチン、浴室、トイレ等、種々の居住空間であってよい。
【００３０】
躯体２０は、屋根部（屋根）２１と、外壁部２２と、屋根部２１および外壁部２２の内面に積層された断熱材２３と、基台部２４と、室３１を画成する内壁部２５１、天井２５２および床２５３と、室３２を画成する内壁部２６１、天井２６２および床２６３と、室３３を画成する内壁部２７１、天井２７２および床２７３とを有している。また、躯体２０の内部には、躯体内空間４０が形成されている。
【００３１】
この躯体内空間４０は、小屋空間４１、床下空間４２、ふところ空間４３、および内壁空間（内壁空洞）４４、４５、４６で構成されている。すなわち、躯体内空間４０は、小屋空間４１、床下空間４２、ふところ空間４３、および内壁空間４４、４５、４６が連通して形成される一続きの空間（連通空間）である。
【００３２】
小屋空間４１は、屋根の下方に形成される空間、すなわち、屋根部２１と、室３１の天井２５２の上部および室３３の天井２７２の上部との間に形成される空間である。
【００３３】
また、床下空間４２は、基台部２４と、室３２の床２６３の下部および室３３の床２７３の下部との間に形成される空間である。
【００３４】
また、ふところ空間４３は、隣接する上下の階の間（本実施形態では、１階と２階の間）に形成される空間、すなわち、室３１の床２５３の下部と室３２の天井２６２の上部との間に形成される空間である。
【００３５】
また、内壁空間（内壁空洞）４４は、外壁部（側壁）２２と、内壁部２５１、２６１との間に上下方向に沿って形成される空間、また、内壁空間４５は、内壁部２５１、２６１と、内壁部２７１との間に上下方向に沿って形成される空間、また、内壁空間４６は、外壁部２２と、内壁部２７１との間に上下方向に沿って形成される空間である。
【００３６】
この住宅１０には、躯体２０内の環境を管理する躯体内環境管理システム１が設けられている。
【００３７】
躯体内環境管理システム１は、住宅１０の外部と躯体２０内（躯体内空間４０）とを連通する少なくとも１つの連通口（連通部）を有し、その連通口を開閉し、躯体２０内を換気する換気状態と躯体２０内を換気しない非換気状態とに切り換わる換気手段として、第１の換気部５１と、２つの第２の換気部５２、５３とを備えている。
【００３８】
第１の換気部５１は、屋根部２１の右側の頂上部（中央部）に形成され、住宅１０の外部と小屋空間４１とを連通する第１の連通口（第１の連通部）５１１と、第１の連通口５１１を開閉する図示しない第１のシャッタ（第１の開閉部）と、第１のシャッタを駆動する図示しない第１の駆動機構とで構成されている。この第１の換気部５１は、第１の駆動機構により第１のシャッタを駆動し、第１の連通口５１１を開閉して、躯体２０内を換気するようになっている。
【００３９】
また、一方の第２の換気部５２は、左側の外壁部２２の下部に形成され、住宅１０の外部と床下空間４２とを連通する第２の連通口（第２の連通部）５２１と、第２の連通口５２１を開閉する図示しない第２のシャッタ（第２の開閉部）と、第２のシャッタを駆動する図示しない第２の駆動機構とで構成されている。この第２の換気部５２は、第２の駆動機構により第２のシャッタを駆動し、第２の連通口５２１を開閉して、躯体２０内を換気するようになっている。
【００４０】
また、他方の第２の換気部５３は、右側の外壁部２２の下部に形成され、住宅１０の外部と床下空間４２とを連通する第２の連通口（第２の連通部）５３１と、第２の連通口５３１を開閉する図示しない第２のシャッタ（第２の開閉部）と、第２のシャッタを駆動する図示しない第２の駆動機構とで構成されている。この第２の換気部５３は、第２の駆動機構により第２のシャッタを駆動し、第２の連通口５３１を開閉して、躯体２０内を換気するようになっている。
【００４１】
なお、各換気部５１〜５３には、それぞれ、例えば、ファン等の送気装置が設けられていてもよい。
【００４２】
また、躯体内環境管理システム１は、躯体２０内の結露を検出する結露センサ（結露検出手段）８１と、住宅１０の外気の湿度（相対湿度）の情報を取得する外気湿度取得手段として、湿度センサ８２と、躯体２０内の湿度（相対湿度）の情報を取得する躯体内湿度取得手段として、湿度センサ８３と、住宅１０の外部の気温（温度）の情報を取得する外気温取得手段として、温度センサ８４とを有している。
【００４３】
結露センサ８１は、躯体２０内で、湿度が比較的高く、結露し易い箇所に設置されるのが好ましく、本実施形態では、小屋空間４１の上方に位置するように設置されている。
【００４４】
また、湿度センサ８３は、躯体２０内で、湿度が比較的高い箇所に設置されるのが好ましく、本実施形態では、小屋空間４１の上方に位置するように設置されている。
【００４５】
また、図２に示すように、躯体内環境管理システム１は、住宅１０内の所定箇所に設置された制御装置（制御手段）６と、各種の情報を表示（報知）する表示部（報知手段）７１と、入力等の各操作を行う操作部（入力手段）７２とを有している。
【００４６】
制御装置６は、例えば、マイクロコンピュータやパーソナルコンピュータ等で構成され、ＣＰＵ（制御手段）６１およびメモリ（記憶手段）６２等を有している。メモリ６２には、各種の情報、データ、プログラム等が記憶（記録）されている。また、メモリ６２における書き込み（記憶）、書き換え、消去、読み出し等の制御は、ＣＰＵ６１によりなされる。
【００４７】
この制御装置６は、例えば、各換気部５１〜５３および表示部７１等、躯体内環境管理システム１全体の作動（駆動）を制御する。なお、制御装置６により、季節を判別する季節判別手段と、各換気部５１〜５３（換気手段）の作動を制御する換気制御手段と、モード設定手段との主機能が、それぞれ達成（構成）される。
【００４８】
また、制御装置６には、結露センサ８１、湿度センサ８２、８３、温度センサ８４および操作部７１からの信号（情報）が、それぞれ、随時入力される。
【００４９】
表示部７１としては、例えば、液晶パネルを備えた液晶表示装置、ＥＬパネルを備えたＥＬ表示装置、ＣＲＴ等、電子画像を表示する各種ディスプレイ等を用いることができる。
【００５０】
なお、表示部７１と操作部７２とは、別々に設けられていてもよく、また、例えば、タッチパネル等を用いることで、そのタッチパネルが表示部７１と操作部７２とを兼ねるようになっていてもよい。
【００５１】
この躯体内環境管理システム１は、制御装置６の制御により、各換気部５１〜５３（換気手段）の各連通口５１１〜５３１をそれぞれ開閉させ、躯体２０内の環境を管理するよう構成されている。すなわち、制御装置６は、季節を判別し、その判別された季節と、湿度センサ８２により得られた住宅１０の外気の湿度（湿度センサ８２の検出結果）と、湿度センサ８３により得られた躯体２０内の湿度（湿度センサ８３の検出結果）と、結露センサ８１により得られた躯体２０内の結露の有無（結露センサ８１の検出結果）とに基づき、各換気部５１〜５３の作動をそれぞれ制御する。
【００５２】
また、本実施形態では、制御装置６は、夏と冬とを判別（季節が夏と冬とのいずれであるかを判別）し、その結果、夏と判別した場合は、換気部５１〜５３（換気手段）の作動モードを夏モードに設定し、冬と判別した場合は、換気部５１〜５３（換気手段）の作動モードを冬モードに設定するように構成されている。
【００５３】
また、本実施形態では、制御装置６は、温度センサ８４により得られた住宅１０の外部の気温（温度センサ８４の検出結果）に基づいて、季節を判別するように構成されている。
【００５４】
ここで、前記制御装置６が夏と冬とを判別する方法は、特に限定されず、例えば、下記（１）〜（４）の方法が挙げられる。
【００５５】
（方法１）
常時、または、所定の時間間隔で、季節を判別する。すなわち、常時、または、所定の時間間隔で、住宅１０の外部の気温を取得し、その外部の気温と、しきい値Ｔ０とを比較し、外部の気温がしきい値Ｔ０より大きい場合は、夏モードに設定し、外部の気温がしきい値Ｔ０以下の場合は、冬モードに設定する。
【００５６】
前記しきい値Ｔ０は、特に限定されず、操作部７２を操作して任意の値に設定し得るようになっているが、２０〜２５℃程度の範囲内で設定されるのが好ましい。これは、後述する方法２〜４でも同様である。
【００５７】
（方法２）
１日のうちの所定の（決まった）時刻（時間）に、季節を判別する。すなわち、１日のうちの所定の時刻に、住宅１０の外部の気温を取得し、その外部の気温と、しきい値Ｔ０とを比較し、外部の気温がしきい値Ｔ０より大きい場合は、夏モードに設定し、外部の気温がしきい値Ｔ０以下の場合は、冬モードに設定する。
【００５８】
（方法３）
住宅１０の外部の１日の平均気温に基づいて季節を判別する。すなわち、例えば、前日の住宅１０の外部の平均気温を求め、その外部の平均気温と、しきい値Ｔ０とを比較し、外部の平均気温がしきい値Ｔ０より大きい場合は、夏モードに設定し、外部の平均気温がしきい値Ｔ０以下の場合は、冬モードに設定する。
【００５９】
（方法４）
住宅１０の外部の複数日の平均気温に基づいて季節を判別する。すなわち、例えば、前日からそれ以前の複数日の住宅１０の外部の平均気温を求め、その外部の平均気温と、しきい値Ｔ０とを比較し、外部の平均気温がしきい値Ｔ０より大きい場合は、夏モードに設定し、外部の平均気温がしきい値Ｔ０以下の場合は、冬モードに設定する。
【００６０】
なお、前記の各方法は、季節が実際に夏かまたは冬かを判別しているわけではないが、本発明では、季節が実際に夏かまたは冬かを判別するようになっていてもよい。
【００６１】
また、住宅１０の外気の湿度をφ１、躯体２０内の湿度をφ２としたとき、制御装置６は、夏モードにおいては、φ２＜ａ・φ１の場合は、換気部５１〜５３（換気手段）を非換気状態にし、φ２≧ａ・φ１の場合は、換気部５１〜５３（換気手段）を換気状態にし、冬モードにおいては、ｂ・φ２＜φ１の場合は、換気部５１〜５３（換気手段）を非換気状態にし、ｂ・φ２≧φ１の場合は、換気部５１〜５３（換気手段）を換気状態にするよう構成されている。
【００６２】
ここで、前記「ａ」は、係数であり、ａ≧１．０５であるのが好ましく、ａ≧１．２であるのがより好ましく、１．６≧ａ≧１．２であるのがさらに好ましく、１．４≧ａ≧１．２であるのが特に好ましい。
【００６３】
また、前記「ｂ」は、係数であり、ｂ≧１．０５であるのが好ましく、ｂ≧１．２であるのがより好ましく、１．６≧ｂ≧１．２であるのがさらに好ましく、１．４≧ｂ≧１．２であるのが特に好ましい。
【００６４】
また、本実施形態では、夏モードにおける換気状態は、第１の連通口５１１および第２の連通口５２１、５３１を開いた状態であり、非換気状態は、第１の連通口５１１および第２の連通口５２１、５３１を閉じた状態である。
【００６５】
また、冬モードにおける換気状態は、第１の連通口５１１を開き、第２の連通口５２１、５３１を閉じた状態、または、第１の連通口５１１を閉じ、第２の連通口５２１、５３１を開いた状態であるが、このうちでは、前者の第１の連通口５１１を開き、第２の連通口５２１、５３１を閉じた状態が好ましい。
【００６６】
また、冬モードにおける非換気状態は、第１の連通口５１１および第２の連通口５２１、５３１を閉じた状態である。
【００６７】
なお、夏モードにおける換気状態および非換気状態、冬モードにおける換気状態および非換気状態は、それぞれ、前記以外の状態であてもよいことは言うまでもない。
【００６８】
次に、図３および図４に示すフローチャートに基づいて、躯体内環境管理システム１の作用（動作）を説明する。
【００６９】
住宅１０の居住者等の使用者が制御装置６の操作部７２の電源スイッチをオンすると、躯体内環境管理システム１が作動し、図３に示すように、その制御装置６は、まず、換気部５１〜５３（換気手段）の作動モードを設定するモード設定処理を行う（ステップＳ１０１）。
【００７０】
ステップＳ１０１のモード設定処理では、図４に示すように、住宅１０の外部の気温が、しきい値Ｔ０より大きいか否かを判断し（ステップＳ４０１）、外部の気温がしきい値Ｔ０より大きいと判断した場合は、夏モードに設定し（ステップＳ４０２）、外部の気温がしきい値Ｔ０以下と判断した場合は、冬モードに設定する（ステップＳ４０３）。なお、前記夏と冬とを判別して夏モードまたは冬モードに設定する方法は、前述した通りである。
【００７１】
次いで、図３に示すように、夏モードに設定されているか否かを判断し（ステップＳ１０２）、夏モードに設定されていると判断した場合（ステップＳ１０２で「ＹＥＳ」）は、結露センサ８１により躯体２０内の結露が検知されたか否かを判断する（ステップＳ１０３）。
【００７２】
ステップＳ１０３において結露が検知されたと判断した場合は、他の条件にかかわらず、換気部５１〜５３（換気手段）を換気状態にする。すなわち、第１の連通口５１１および第２の連通口５２１、５３１を開いた状態にし（ステップＳ１０５）、ステップＳ１０１に戻り、再度、ステップＳ１０１以降を実行する。
【００７３】
これにより、住宅１０の外部の空気（外気）が第２の換気部５２、５３から床下空間４２に流入し、小屋空間４１内の空気が第１の換気部５１から住宅１０の外部に流出し、また、空気が躯体２０内を循環する。これによって、躯体２０内の湿気を除去することができ、結露を消失させることができる。
【００７４】
また、ステップＳ１０３において結露が検知されないと判断した場合は、φ２（躯体２０内の湿度）＜ａ・φ１（住宅１０の外気の湿度）であるか否かを判断し（ステップＳ１０４）、φ２≧ａ・φ１であると判断した場合は、換気部５１〜５３（換気手段）を換気状態にする。すなわち、第１の連通口５１１および第２の連通口５２１、５３１を開いた状態にし（ステップＳ１０５）、ステップＳ１０１に戻り、再度、ステップＳ１０１以降を実行する。
【００７５】
これにより、住宅１０の外部の空気（外気）が第２の換気部５２、５３から床下空間４２に流入し、小屋空間４１内の空気が第１の換気部５１から住宅１０の外部に流出し、また、空気が躯体２０内を循環する。これによって、躯体２０内の湿気を除去することができ、躯体２０内の湿度を低下させることができる。
【００７６】
また、ステップＳ１０４においてφ２＜ａ・φ１であると判断した場合は、換気部５１〜５３（換気手段）を非換気状態にする。すなわち、第１の連通口５１１および第２の連通口５２１、５３１を閉じた状態にし（ステップＳ１０６）、ステップＳ１０１に戻り、再度、ステップＳ１０１以降を実行する。
【００７７】
これにより、躯体２０内の湿度が低い状態を保持することができる。
【００７８】
また、ステップＳ１０２において冬モードに設定されていると判断した場合（ステップＳ１０２で「ＮＯ」）は、結露センサ８１により結露が検知されたか否かを判断し（ステップＳ１０７）、結露が検知されたと判断した場合は、他の条件にかかわらず、換気部５１〜５３（換気手段）を換気状態にする。すなわち、第１の連通口５１１を開き、第２の連通口５２１、５３１を閉じた状態にし（ステップＳ１０５）、ステップＳ１０１に戻り、再度、ステップＳ１０１以降を実行する。
【００７９】
これにより、住宅１０の外部と、小屋空間４１との間で換気がなされ、また、空気が躯体２０内を循環する。これによって、躯体２０内の湿気を除去することができ、結露を消失させることができる。この場合、第２の連通口５２１、５３１が閉られているので、住宅１０の外部から躯体２０内への冷たい空気（外気）の流入量を少なくすることができる。
【００８０】
また、ステップＳ１０７において結露が検知されないと判断した場合は、ｂ・φ２（躯体２０内の湿度）＞φ１（住宅１０の外気の湿度）であるか否かを判断し（ステップＳ１０８）、ｂ・φ２＞φ１であると判断した場合は、換気部５１〜５３（換気手段）を換気状態にする。すなわち、第１の連通口５１１を開き、第２の連通口５２１、５３１を閉じた状態にし（ステップＳ１０９）、ステップＳ１０１に戻り、再度、ステップＳ１０１以降を実行する。
【００８１】
これにより、住宅１０の外部と、小屋空間４１との間で換気がなされ、また、空気が躯体２０内を循環する。これによって、躯体２０内の湿気を除去することができ、躯体２０内の湿度を低下させることができる。この場合、第２の連通口５２１、５３１が閉られているので、住宅１０の外部から躯体２０内への冷たい空気（外気）の流入量を少なくすることができる。
【００８２】
また、ステップＳ１０８においてｂ・φ２≦φ１であると判断した場合は、換気部５１〜５３（換気手段）を非換気状態にする。すなわち、すなわち、第１の連通口５１１および第２の連通口５２１、５３１を閉じた状態にし（ステップＳ１１０）、ステップＳ１０１に戻り、再度、ステップＳ１０１以降を実行する。
これにより、躯体２０内の湿度が低い状態を保持することができる。
【００８３】
以上説明したように、この躯体内環境管理システム１によれば、簡易な構造で、夏および冬（住宅１０の外部の気温が高い場合および低い場合等）に応じて、それぞれ、躯体２０内における湿度を含む躯体内環境の管理を容易かつ確実に行うことができ、これにより、特に、湿気による害を防止することができる。すなわち、夏および冬に応じて、それぞれ、躯体２０内における湿度を含む躯体内環境を良好にすることができ、これにより、住宅１０において快適に生活することができ、また、住宅１０の耐久性を向上させることができる。
【００８４】
ここで、本発明では、通信回線を介して、各情報のうちの所定の情報を取得するように構成されていてもよい。すなわち、例えば、外気温取得手段は、通信回線を介して、住宅（建築物）１０の外部の気温の情報を取得するよう構成されていてもよく、また、外気湿度取得手段は、通信回線を介して、住宅１０の外気の湿度の情報を取得するように構成されていてもよい。この場合は、温度センサ８４、湿度センサ８２が省略され、これにより、部品点数を削減し、構成を簡素化することができる。
【００８５】
また、住宅１０の外部の気温の情報、住宅１０の外気の湿度の情報は、それぞれ、例えば、気象情報等から取得することができる。
【００８６】
また、通信回線としては、特に限定されず、例えば、インターネット（インターネット回線）等のオープンネットワークや専用ネットワーク等のネットワーク等が挙げられる。
【００８７】
なお、この通信回線を利用する構成は、他の各実施形態にもそれぞれ適用することができる。
【００８８】
＜第２実施形態＞
図５は、本発明の躯体内環境管理システムの第２実施形態における制御装置の制御動作を示すフローチャートである。
【００８９】
以下、第２実施形態の躯体内環境管理システム１について、前述した第１実施形態との相違点を中心に説明し、同様の事項については、その説明を省略する。
【００９０】
図５に示すように、第２実施形態の躯体内環境管理システム１では、ステップＳ２０１〜Ｓ２０８は、それぞれ、第１実施形態のステップＳ１０１〜Ｓ１０７、Ｓ１０９と同様である。
【００９１】
そして、ステップＳ２０７において結露が検知されないと判断した場合は、換気部５１〜５３（換気手段）を非換気状態にする。すなわち、すなわち、第１の連通口５１１および第２の連通口５２１、５３１を閉じた状態にし（ステップＳ２０９）、ステップＳ２０１に戻り、再度、ステップＳ２０１以降を実行する。これにより、躯体２０内の湿度が低く、結露が生じない状態を保持することができる。
【００９２】
この躯体内環境管理システム１によれば、前述した第１実施形態と同様の効果が得られる。
【００９３】
＜第３実施形態＞
図６は、本発明の躯体内環境管理システムの第３実施形態を示すブロック図、図７および図８は、図６に示す躯体内環境管理システムの制御装置の制御動作を示すフローチャートである。
【００９４】
以下、第３実施形態の躯体内環境管理システム１について、前述した第１実施形態との相違点を中心に説明し、同様の事項については、その説明を省略する。
【００９５】
図６に示すように、第３実施形態の躯体内環境管理システム１では、さらに、躯体２０内の気温（温度）の情報を取得する躯体内気温取得手段として、温度センサ８５を有している。この温度センサ８５は、躯体２０内で、気温が比較的高い箇所に設置されるのが好ましく、本実施形態では、小屋空間４１の上方に位置するように設置されている。
【００９６】
また、制御装置６は、季節を判別し、その判別された季節と、湿度センサ８２により得られた住宅１０の外気の湿度（湿度センサ８２の検出結果）と、湿度センサ８３により得られた躯体２０内の湿度（湿度センサ８３の検出結果）と、温度センサ８４により得られた住宅１０の外部の気温（温度センサ８４の検出結果）と、温度センサ８５により得られた躯体２０内の気温（温度センサ８５の検出結果）と、結露センサ８１により得られた躯体２０内の結露の有無（結露センサ８１の検出結果）とに基づき、各換気部５１〜５３の作動をそれぞれ制御するように構成されている。
【００９７】
すなわち、住宅１０の外部の気温をＴ１、躯体２０内の気温をＴ２、住宅１０の外気の湿度をφ１、躯体２０内の湿度をφ２としたとき、制御装置６は、夏モードにおいては、φ２＜ａ・φ１、Ｔ２＞ｃ・Ｔ１の場合は、換気部５１〜５３（換気手段）を換気状態にし、φ２＜ａ・φ１、Ｔ２≦ｃ・Ｔ１の場合は、換気部５１〜５３（換気手段）を非換気状態にし、φ２≧ａ・φ１、ｄ・Ｔ２＞Ｔ１の場合は、換気部５１〜５３（換気手段）を換気状態にし、φ２≧ａ・φ１、ｄ・Ｔ２≦Ｔ１の場合は、換気部５１〜５３（換気手段）を非換気状態にするよう構成されている。
【００９８】
また、冬モードにおいては、ｂ・φ２＞φ１、Ｔ２＞ｅ・Ｔ１の場合は、換気部５１〜５３（換気手段）を非換気状態にし、ｂ・φ２＞φ１、Ｔ２≦ｅ・Ｔ１の場合は、換気部５１〜５３（換気手段）を換気状態にし、ｂ・φ２≦φ１、ｆ・Ｔ２＞Ｔ１の場合は、換気部５１〜５３（換気手段）を非換気状態にし、ｂ・φ２≦φ１、ｆ・Ｔ２≦Ｔ１の場合は、換気部５１〜５３（換気手段）を換気状態にするよう構成されている。
【００９９】
ここで、前記「ａ」は、係数であり、ａ≧１．０５であるのが好ましく、ａ≧１．２であるのがより好ましく、１．６≧ａ≧１．２であるのがさらに好ましく、１．４≧ａ≧１．２であるのが特に好ましい。
【０１００】
また、前記「ｂ」は、係数であり、ｂ≧１．０５であるのが好ましく、ｂ≧１．２であるのがより好ましく、１．６≧ｂ≧１．２であるのがさらに好ましく、１．４≧ｂ≧１．２であるのが特に好ましい。
【０１０１】
また、前記「ｃ」は、係数であり、ｃ≧１．０５であるのが好ましく、ｃ≧１．２であるのがより好ましく、１．６≧ｃ≧１．２であるのがさらに好ましく、１．４≧ｃ≧１．２であるのが特に好ましい。
【０１０２】
また、前記「ｄ」は、係数であり、ｄ≧１．０５であるのが好ましく、ｄ≧１．２であるのがより好ましく、１．６≧ｄ≧１．２であるのがさらに好ましく、１．４≧ｄ≧１．２であるのが特に好ましい。
【０１０３】
また、前記「ｅ」は、係数であり、ｅ≧１．０５であるのが好ましく、ｅ≧１．２であるのがより好ましく、１．６≧ｅ≧１．２であるのがさらに好ましく、１．４≧ｅ≧１．２であるのが特に好ましい。
【０１０４】
また、前記「ｆ」は、係数であり、ｆ≧１．０５であるのが好ましく、ｆ≧１．２であるのがより好ましく、１．６≧ｆ≧１．２であるのがさらに好ましく、１．４≧ｆ≧１．２であるのが特に好ましい。
【０１０５】
次に、図７および図８に示すフローチャートに基づいて、躯体内環境管理システム１の作用（動作）を説明する。
【０１０６】
図７および図８に示すように、第３実施形態の躯体内環境管理システム１では、ステップＳ３０１〜Ｓ３０４、Ｓ３０７、Ｓ３０８は、それぞれ、第１実施形態のステップＳ１０１〜Ｓ１０６と同様であり、Ｓ３０９、Ｓ３１０、Ｓ３１３、Ｓ３１４は、それぞれ、第１実施形態のステップＳ１０７〜Ｓ１１０と同様である。
【０１０７】
そして、夏モードにおけるステップＳ３０４においてφ２（躯体２０内の湿度）＜ａ・φ１（住宅１０の外気の湿度）であると判断した場合は、Ｔ２（躯体２０内の気温）＞ｃ・Ｔ１（住宅１０の外部の気温）であるか否かを判断し（ステップＳ３０５）、Ｔ２＞ｃ・Ｔ１であると判断した場合は、ステップＳ３０７に移行する。
【０１０８】
また、ステップＳ３０５においてＴ２≦ｃ・Ｔ１であると判断した場合は、ステップＳ３０８に移行する。
【０１０９】
また、ステップＳ３０４においてφ２≧ａ・φ１であると判断した場合は、ｄ・Ｔ２（躯体２０内の気温）＞Ｔ１（住宅１０の外部の気温）であるか否かを判断し（ステップＳ３０６）、ｄ・Ｔ２＞Ｔ１であると判断した場合は、ステップＳ３０７に移行する。
【０１１０】
また、ステップＳ３０６においてｄ・Ｔ２≦Ｔ１であると判断した場合は、ステップＳ３０８に移行する。
【０１１１】
一方、冬モードにおけるステップＳ３１０においてｂ・φ２（躯体２０内の湿度）＞φ１（住宅１０の外気の湿度）であると判断した場合は、Ｔ２（躯体２０内の気温）＞ｅ・Ｔ１（住宅１０の外部の気温）であるか否かを判断し（ステップＳ３１１）、Ｔ２≦ｅ・Ｔ１であると判断した場合は、ステップＳ３１３に移行する。
【０１１２】
また、ステップＳ３１１においてＴ２＞ｅ・Ｔ１であると判断した場合は、ステップＳ３１４に移行する。
【０１１３】
また、ステップＳ３１０においてｂ・φ２≦φ１であると判断した場合は、ｆ・Ｔ２（躯体２０内の気温）＞Ｔ１（住宅１０の外部の気温）であるか否かを判断し（ステップＳ３１２）、ｆ・Ｔ２≦Ｔ１であると判断した場合は、ステップＳ３１３に移行する。
【０１１４】
また、ステップＳ３１２においてｆ・Ｔ２＞Ｔ１であると判断した場合は、ステップＳ３１４に移行する。
【０１１５】
この躯体内環境管理システム１によれば、前述した第１実施形態と同様の効果が得られる。
【０１１６】
そして、この躯体内環境管理システム１では、夏および冬（住宅１０の外部の気温が高い場合および低い場合等）に応じて、それぞれ、躯体２０内における湿度および温度を含む躯体内環境の管理を容易かつ確実に行うことができる。
【０１１７】
＜第４実施形態＞
図９は、本発明の躯体内環境管理システムの第４実施形態を示すブロック図、図１０は、図９に示す躯体内環境管理システムのモード設定処理（サブルーチン）を示すフローチャートである。
【０１１８】
以下、第４実施形態の躯体内環境管理システム１について、前述した第１実施形態との相違点を中心に説明し、同様の事項については、その説明を省略する。
【０１１９】
図９に示すように、第４実施形態の躯体内環境管理システム１では、制御装置６は、月日の情報を取得するカレンダー手段６３を有しており、そのカレンダー手段６３により得られた月日に基づいて季節を判別するよう構成されている。
【０１２０】
カレンダー手段６３としては、例えば、時計、通信回線（例えば、インターネット等のネットワーク）を介して月日の情報を取得するもの等が挙げられる。
【０１２１】
次に、図１０に示すフローチャートに基づいて、躯体内環境管理システム１の作用（動作）を説明する。
【０１２２】
第４実施形態の躯体内環境管理システム１では、ステップＳ１０１のモード設定処理（図３参照）のみが第１実施形態と異なっており、そのモード設定処理では、図１０に示すように、現在の月が、α月〜β月か否かを判断し（ステップＳ５０１）、α月〜β月と判断した場合は、夏モードに設定し（ステップＳ５０２）、α月〜β月ではないと判断した場合は、冬モードに設定する（ステップＳ５０３）。
【０１２３】
前記αおよびβは、それぞれ、特に限定されず、操作部７２を操作して任意の値に設定し得るようになっているが、αは、４または５に設定されるのが好ましく、また、βは、９または１０に設定されるのが好ましい。
【０１２４】
この躯体内環境管理システム１によれば、前述した第１実施形態と同様の効果が得られる。
【０１２５】
なお、この第４実施形態は、前記第２実施形態および第３実施形態にもそれぞれ適用することができる。
【０１２６】
以上、本発明の躯体内環境管理システムを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１２７】
また、本発明は、前記各実施形態のうちの、任意の２以上の構成（特徴）を組み合わせたものであってもよい。
【０１２８】
また、本発明では、季節判別手段は、夏と冬との他に、さらに、例えば、春と秋とのういちのいずれか一方または両方を判別するよう構成されていてもよい。
【０１２９】
また、本発明では、結露センサ（結露検出手段）が省略されていてもよい。
また、本発明では、換気手段の換気部の数は、３つ（第１の換気部が１つと、第２の換気部が２つ）に限らず、例えば、１つ、２つ、または、４つ以上であってもよい。
【０１３０】
また、本発明の躯体内環境管理システムが適用される住宅（建築物）は、２階建てに限らず、例えば、１階建て、または、３階建て以上であってもよい。また、例えば、地下室が設けられていてもよい。
【０１３１】
また、本発明の躯体内環境管理システムが設置される建築物としては、住宅に限定されず、例えば、駅やビル等の公共の施設等が挙げられる。
【図面の簡単な説明】
【０１３２】
【図１】本発明の躯体内環境管理システムの第１実施形態が適用された建築物としての住宅の概略構造を示す断面図である。
【図２】図１に示す躯体内環境管理システムのブロック図である。
【図３】図１に示す躯体内環境管理システムの制御装置の制御動作を示すフローチャートである。
【図４】モード設定処理（サブルーチン）を示すフローチャートである。
【図５】本発明の躯体内環境管理システムの第２実施形態における制御装置の制御動作を示すフローチャートである。
【図６】本発明の躯体内環境管理システムの第３実施形態を示すブロック図である。
【図７】図６に示す躯体内環境管理システムの制御装置の制御動作を示すフローチャートである。
【図８】図６に示す躯体内環境管理システムの制御装置の制御動作を示すフローチャートである。
【図９】本発明の躯体内環境管理システムの第４実施形態を示すブロック図である。
【図１０】図９に示す躯体内環境管理システムのモード設定処理（サブルーチン）を示すフローチャートである。
【符号の説明】
【０１３３】
１                躯体内環境管理システム
１０              住宅
２０              躯体
２１              屋根部
２２              外壁部
２３              断熱材
２４              基台部
２５１、２６１、２７１  内壁部
２５２、２６２、２７２  天井
２５３、２６２、２７２  床
３１、３２、３３  室
４０              躯体内空間
４１              小屋空間
４２              床下空間
４３              ふところ空間
４４、４５、４６  内壁空間
５１              第１の換気部
５１１            第１の連通口
５２、５３        第２の換気部
５２１、５３１    第２の連通口
６                制御装置
６１              ＣＰＵ
６２              メモリ
６３              カレンダー手段
７１              表示部
７２              操作部
８１              結露センサ
８２、８３        湿度センサ
８４、８５        温度センサ
Ｓ１０１〜Ｓ１１０  ステップ
Ｓ２０１〜Ｓ２０９  ステップ
Ｓ３０１〜Ｓ３１４  ステップ
Ｓ４０１〜Ｓ４０３  ステップ
Ｓ５０１〜Ｓ５０３  ステップ
【図１】
2008180030.tif 000003
【図２】
2008180030.tif 000004
【図３】
2008180030.tif 000005
【図４】
2008180030.tif 000006
【図５】
2008180030.tif 000007
【図６】
2008180030.tif 000008
【図７】
2008180030.tif 000009
【図８】
2008180030.tif 000010
【図９】
2008180030.tif 000011
【図１０】
2008180030.tif 000012